(57)【要約】【課題】泡の異常発生が検知されたときの電力の無駄な消費を抑える。【解決手段】水槽の内部で洗濯物を洗浄する洗浄手段を具備すると共に、水槽に貯留した水を加熱して温水を生成する温水ヒータを具備し、そして、水槽に異常に発生した泡を検知する泡センサを具備して、その泡センサによる泡の異常発生検知が所定回数あったとき（Ｓ２でＹＥＳ）には、温水ヒータの通電量を減じる制御をする（Ｓ３）。これにより、泡の異常発生が検知されたときの電力の無駄な消費を抑えることができる。【選択図】図１
2012019863.tif 000002
【特許請求の範囲】
【請求項１】
水槽と、
この水槽の内部で洗濯物を洗浄する洗浄手段と、
前記水槽に貯留した水を加熱して温水を生成する温水ヒータと、
前記水槽における泡の異常発生を検知する泡センサとを具備し、
前記泡センサによる泡の異常発生検知が所定回数あったときには、前記温水ヒータの通電量を減じる制御をすることを特徴とする洗濯機。
【請求項２】
温水ヒータの通電量を減じる制御を、温水ヒータの通電時間を短縮することで実行することを特徴とする請求項１記載の洗濯機。
【請求項３】
温水ヒータの通電時間を、泡センサによる泡の異常発生検知回数に応じて変化させることを特徴とする請求項２記載の洗濯機。
【請求項４】
水槽内の温水の温度を検知する水温センサを具備し、その温水の温度検知結果に基づいて温水ヒータの通電を制御するもので、温水ヒータの通電量を減じる制御を、温水ヒータの加熱目標温度を下げることで実行することを特徴とする請求項１記載の洗濯機。
【請求項５】
温水ヒータの加熱目標温度を、泡センサによる泡の異常発生検知回数に応じて変化させることを特徴とする請求項４記載の洗濯機。
【請求項６】
温水ヒータの通電量を減じる制御を、運転のコース別に、泡センサによる泡の異常発生検知回数に応じて異ならせることを特徴とする請求項１ないし５のいずれかに記載の洗濯機。
【請求項７】
水槽内の温水の温度を検知する水温センサを具備し、その温水の温度検知結果に基づいて温水ヒータの通電を制御するもので、温水ヒータの通電量を減じる制御を、温水ヒータの加熱目標温度別に、泡センサによる泡の異常発生検知回数に応じて異ならせることを特徴とする請求項１ないし５のいずれかに記載の洗濯機。
【発明の詳細な説明】
【技術分野】
【０００１】
本発明の実施形態は、温水ヒータを使用しての温水洗浄機能を有する洗濯機に関する。
【背景技術】
【０００２】
従来より、洗濯機においては、温水ヒータを具え、この温水ヒータにより水槽内の水を加熱して温水を生成し、その温水により洗濯物を洗浄する温水洗浄機能を有するものが供されており、洗濯物を効果的に洗浄できるようになっている。
そして更に、そのものの場合、水槽内の泡の異常発生を検知する泡センサを具えたものが供されている（例えば特許文献１参照）。
【先行技術文献】
【特許文献】
【０００３】
【特許文献１】特開２００７−６８６７８号公報
【発明の概要】
【発明が解決しようとする課題】
【０００４】
上述の、水槽内の泡の異常発生を検知する泡センサを具えたものにおいては、その泡センサにより水槽内の泡の異常発生が検知されたときに、水槽内の水（温水）を泡と共に排出し、その後、水槽内に新たに水を供給し、その水を温水ヒータにより加熱して温水を生成し、その温水により洗濯物を洗浄するという動作を繰り返すようになっている。
【０００５】
このため、泡の異常発生の検知回数が多いときには、水槽内の水（温水）の排出と、その後の水槽内への新たな水の供給、そして、その供給された新たな水の温水ヒータによる加熱、生成した温水により洗濯物の洗浄という動作が回数多く繰り返され、特にその毎回の、新たな水の温水ヒータによる加熱のために、電力の消費が多くなる。又、この場合、水槽内に泡が異常に多く発生するのは、洗濯物の汚れが少ないときが考えられるものであり、かかる状況では無駄に上記の動作が繰り返されることになるため、電力の無駄な消費が増える結果となっていた。
【０００６】
そこで、泡の異常発生が検知されたときの電力の無駄な消費を抑えることのできる洗濯機を提供する。
【課題を解決するための手段】
【０００７】
本実施形態の洗濯機においては、水槽と、この水槽の内部で洗濯物を洗浄する洗浄手段と、前記水槽に貯留した水を加熱して温水を生成する温水ヒータと、前記水槽における泡の異常発生を検知する泡センサとを具備し、前記泡センサによる泡の異常発生検知が所定回数あったときには、前記温水ヒータの通電量を減じる制御をすることを特徴とする。
【図面の簡単な説明】
【０００８】
【図１】第１の実施形態を示す作用説明用のフローチャート
【図２】洗濯機全体の、一部を破断した縦断側面図
【図３】電気的構成のブロック図
【図４】第２の実施形態を示す制御内容図
【図５】第３の実施形態を示す図１相当図
【図６】第４の実施形態を示す図４相当図
【図７】第５の実施形態を示す図４相当図
【図８】第６の実施形態を示す図４相当図
【図９】第７の実施形態を示す図４相当図
【図１０】第８の実施形態を示す図４相当図
【発明を実施するための形態】
【０００９】
以下、第１の実施形態につき、図１ないし図３を参照して説明する。
まず、図２には、ドラム式洗濯機の全体構造を示しており、外箱１を外殻としている。この外箱１は、ほゞ直方体状を成しており、そのうちの前面部（図２で右側）のほゞ中央部に洗濯物出入口２を形成していて、この洗濯物出入口２を開閉する扉３を外箱１に枢支して設けている。外箱１の前面部の上部には、操作パネル４を設けており、その裏側（外箱１内）に操作パネル４の操作に応動する操作系の電子ユニット５を設けている。又、外箱１の前面部の下部の裏側には、駆動系の電子ユニット６を設けている。
【００１０】
外箱１の内部には、水槽７を配設している。この水槽７は軸方向が前後（図２で右左）の横軸円筒状を成すものであり、それを外箱１の底板１ａ上に、左右一対（図２では一方のみ図示）のサスペンション８によって前上がりの傾斜状に弾性支持している。
水槽７の背部には、モータ９を取付けている。このモータ９は、この場合、例えば直流のブラシレスモータから成るもので、アウターロータ形であり、ロータ９ａの中心部に取付けた回転軸９ｂを、軸受ハウジング１０を介して水槽７の内部に挿通している。
【００１１】
水槽７の内部には、ドラム１１を配設している。このドラム１１も軸方向が前後の横軸円筒状を成すもので、それを後部の中心部で上記モータ９の回転軸の先端部に取付けることにより、水槽７と同心の前上がりの傾斜状に支持している。又、その結果、ドラム１１はモータ９により回転されるようになっており、従って、ドラム１１は回転槽であり、モータ９はドラム１１を回転させる回転槽駆動装置として機能するようになっている。
【００１２】
ドラム１１の周側部（胴部）には、小孔１２を全域にわたって多数形成している（一部のみ図示）。又、ドラム１１及び水槽７は、ともに前面部に開口部１３，１４を有しており、そのうちの水槽７の開口部１４と前記洗濯物出入口２との間を環状のベローズ１５で連ねている。この結果、洗濯物出入口２は、ベローズ１５、水槽７の開口部１４、及びドラム１１の開口部１３を介して、ドラム１１の内部に連なっている。
【００１３】
水槽７の底部には、水溜部１６を水槽７の内部との連通状態で設けており、この水溜器１６の内部には、温水ヒータ１７を設けると共に、水温センサ１８を設けている。又、水溜器１６の最低部である底部の後部には、排水弁１９を介して、排水管２０を接続している。
【００１４】
更に、水槽７の下方（外箱１の底部）には、循環ポンプ２１を配設しており、この循環ポンプ２１の入口部を吸入パイプ２２を介して水槽７の内下部に連通させ、出口部を吐出パイプ２３を介して前記ドラム１１の開口部１３に臨ませている。従って、循環ポンプ２１は、水槽７内に貯留される水を吸入パイプ２２を介して吸入し、吐出パイプ２３を介してドラム１１の開口部１３からドラム１１内に吐出するものであり、かくして水槽７内に貯留される水を循環させ、洗濯物の洗浄効果を上げるようになっている。
【００１５】
水槽７の背部から上部には、乾燥ユニット２４を配設している。この乾燥ユニット２４は、除湿器２５と、送風機２６、及び加熱器２７を有しており、ドラム１１内の空気を吸引して除湿し、次いで加熱して、ドラム１１内に戻す循環を行わしめることにより、洗濯物を乾燥させるようになっている。
【００１６】
ここで、除湿器２５は、詳細には、水槽７の背部に位置して、下部が水槽７の内部に連通し、上部が送風機２６に連通したダクト２５ａを主体に構成したもので、そのダクト２５ａ内をドラム１１内の空気が水槽７を介して下部から上部へ流通するようになっている。又、ダクト２５ａの上部には注水器２５ｂを組込んでおり、その注水器２５ｂからダクト２５ａ内に注水することによって、ダクト２５ａ内を上述のように流通する空気を冷却し凝縮させて除湿するようになっている。
【００１７】
なお、ダクト２５ａ内の下部には、ダクト２５ａ内に入る空気の温度を検知する入気温センサ２８を配設し、ダクト２５ａ内の上部には、ダクト２５ａ内から出る空気の温度を検知する出気温センサ２９を配設している。
【００１８】
しかして、除湿器２５の上方には給水弁３０を配設している。この給水弁３０も、詳細には図３に示す洗濯用給水弁３０ａと除湿用給水弁３０ｂの２つで構成されており、それらの入口部は図示しない水道の蛇口に共通に接続され、除湿用給水弁３０ｂの出口部を除湿用給水パイプ３１を介して上記除湿器２５の注水器２５ｂに接続し、その注水器２５ｂからダクト２５ａ内に上述のように注水するようにしている。
【００１９】
一方、洗濯用給水弁３０ａの出口部は、洗濯用給水パイプ３２を介して、水槽７の前部の上方に配設した給水ボックス３３に接続し、更に、その給水ボックス３３からは給水パイプ３４を介して水槽７の上部に接続することにより、水槽７の内部に給水するようにしている。
【００２０】
そして、そのほか、水槽７の上方には、水位センサ３５と泡センサ３６とを配設している。これらのセンサ３５，３６はともに圧力センサから成っており、水位センサ３５は、エアチューブ３７を介して、水槽７の下部から与えられる圧力の変化で水槽７内の水位を検知するようになっており、泡センサ３６は、エアチューブ３８を介して、前記除湿器２５のダクト２５ａの内上部から与えられる圧力の変化で水槽７内の泡の異常発生を検知するようになっている。
【００２１】
次いで、図３は、本実施形態の洗濯機全体の電気的構成を示しており、制御手段である制御装置３９を主体としている。この制御装置３９は、前記駆動系の電子ユニット６に含まれており、例えばマイクロコンピュータから成っている。しかして、この制御装置３９には、商用の電源４０から電源回路４１を介して駆動電源が供給されるようになっており、その電源回路４１は、前記操作パネル４に存する電源スイッチ（図示省略）の操作に応動するようになっている。
【００２２】
制御装置３９には又、前記操作系の電子ユニット５で構成する操作部４２から各種操作信号が入力され、そのほか、前記水位センサ３５から水位検知信号が、前記泡センサ３６から泡検知信号が、前記水温センサ１８から温度検知信号が、前記入気温センサ２８からも温度検知信号が、更に前記出気温センサ２９からも温度検知信号が、それぞれ入力されるようになっている。
【００２３】
そして、制御装置３９は、上記各入力とあらかじめ記憶された制御プルグラムとに基づいて、前記操作パネル４に存する各種表示器４３とブザー４４とを制御すると共に、前記モータ９、前記洗濯用給水弁３０ａ、前記除湿用給水弁３０ｂ、前記排水弁１９、前記温水ヒータ１７、前記乾燥ユニット２４における加熱器２７のヒータ２７ａ、同乾燥ユニット２４における送風機２６のモータ２６ａ、前記循環ポンプ２１を制御するようになっている。
【００２４】
次に、上記構成のものの作用を述べる。
上記構成のものでは、操作パネル４の操作に基づき、制御装置３９が運転を開始させると、標準的には、洗い行程、脱水行程、すすぎ行程、…の順に運転を実行する。そのうち、洗い行程では、最初に、ドラム１１内に収容された洗濯物の量を検知する重量検知動作を行い、続いて、洗濯用給水弁３０ａを開放させて検知洗濯物量に応じた水位まで水槽７内に給水する給水動作を行う。又、このときには、給水ボックス３３にセットした洗剤の供給を給水と併せて行う。
【００２５】
給水動作の後には、ドラム１１を回転させて、ドラム１１内に収容された洗濯物の布質を検知する布質検知動作を行い、引き続きドラム１１を回転させることにより、洗濯物を上下に撹拌して主にたたき洗いする洗い動作を行う。従って、このときにモータ９及びドラム１１は水槽７の内部で洗濯物を洗浄する洗浄手段として機能する。
【００２６】
さて、この洗い動作を行うとき、前記操作パネル４の操作で「温水洗浄」が選択されていると、温水ヒータ１７を通電して発熱させる。これにより、水槽７内に貯留された水を加熱して温水を生成し、その温水により洗濯物を効果的に洗浄することを行う。
このとき、温水の温度を検知する水温センサ１８の検知結果で、水温が温水ヒータ１７の加熱目標温度に到達したと制御装置３９により判断されるか、又は温水ヒータ１７の通電時間が満了したと制御装置３９により判断されるか、もしくは洗い動作時間が満了したと制御装置３９により判断されるかしたときには、温水ヒータ１７の通電を断って温水の生成を終了する。
【００２７】
又、水槽７内の水位が過度に低いときに温水ヒータ１７に通電すると、いわゆる空焚きになり、水槽７の溶解など不具合を招来する可能性があるため、水位センサ３５で水槽７内の水位を常時検知し、水槽７内の水位が所定水位以下であると制御装置３９により判断されたときには、温水ヒータ１７の通電を断って温水の生成を中止する。
【００２８】
そして更に、このとき、水槽７内における泡の異常発生の有無を泡センサ３６により検知する。ここで、水槽７内に泡の異常発生があったと制御装置３９により判断されると、排水弁１９を開放させて水槽７内の水を泡と共に排出する。又、泡の異常発生の検知が給水中にあれば、給水を停止して排水を行なう。これらの泡の異常発生検知に基づく排水の後、泡の排出をできる限り行うための所定時間が経過したところで、排水弁１９を閉塞し、代わりに洗濯用給水弁３０ａを開放させて水槽７内に新たに水を供給する。この給水後には、上述のごとく温水ヒータ１７を通電して発熱させ、温水を生成して、その温水による洗濯物の効果的な洗浄を行う。
【００２９】
なお、洗濯機では、水槽７内に泡が異常に多く発生すると泡がクッションになってしまい、洗浄効果が低くなってしまう。特にドラム１１の横軸回転により洗濯物を上下に撹拌して主にたたき洗いするドラム式洗濯機では、泡のクッション作用による洗浄効果の低下が著しく、このために、水槽７内に泡が異常に多く発生したことが検知されたときには、上述のように排水をして泡を排出し、そして、新たに給水して洗浄をし直すのであり、そこで又、水槽７内に泡が異常に多く発生したことが検知されたときには、排水、そして給水を繰り返すのであって、それらの排水及び給水を含めて水槽７内における泡の異常発生が１回ずつ検知されたと見ることができる。
なお、この泡の異常発生検知時における排水及び給水の動作は、発生した泡を減少させる処理であって、要するに泡処理行程であり、特には泡減少処理行程である。
【００３０】
但し、水槽７内に泡が異常に多く発生したとはいえ、「温水洗浄」中に排水をすると、温水が排出され、新たに給水することで温水の生成のし直しが強いられる。特に泡の異常発生の検知回数が多いときには、排水（温水の排出）と、その後の新たな給水、そして、その供給された新たな水の温水ヒータによる加熱、生成した温水により洗濯物の洗浄という動作が回数多く繰り返され、特にその毎回の、新たな水の温水ヒータによる加熱のために、電力の消費が多くなる。又、この場合、水槽内に泡が異常に多く発生するのは、洗濯物の汚れが少ないときが考えられるものであり、かかる状況では無駄に上記の動作が繰り返されることになるため、電力の無駄な消費が増える結果となっていたのは、従来のものにあって既述のとおりである。
【００３１】
これに対して、上記構成のものでは、前記泡センサ３６による泡の異常発生検知が所定回数（例えば６回）あったときには、温水ヒータ１７の通電時間を短縮して、温水ヒータ１７の通電量を減じる制御をする。図１は、このときの制御装置３９による制御の態様を概略的に表しており、「温水洗浄」の開始（スタート）に基づき、温水ヒータ１７の通電時間をセットし（ステップＳ１）、次いで泡センサ３６による泡の異常発生検知が所定回数以上あったか否かの判断をして（ステップＳ２）、なかった（ＮＯ）と判断されれば、温水ヒータ１７の通電時間の変更は行わずに「温水洗浄」を続けるが、あった（ＹＥＳ）と判断されれば、温水ヒータ１７の通電時間を所定時間（この場合、５〔分〕）減じて「温水洗浄」を続ける。
【００３２】
このように上記構成のものでは、水槽７の内部で洗濯物を洗浄する洗浄手段としてモータ９及びドラム１１を具備すると共に、水槽７に貯留した水を加熱して温水を生成する温水ヒータ１７を具備し、そして、水槽７における泡の異常発生を検知する泡センサ３６を具備して、その泡センサ３６による泡の異常発生検知が所定回数あったときには、温水ヒータ１７の通電量を減じる制御をするようにしている。これにより、泡の異常発生が検知されたときの電力の無駄な消費を抑えることができる。
【００３３】
又、上記構成のものでは、泡センサ３６による泡の異常発生検知が所定回数あったときの、温水ヒータ１７の通電量を減じる制御を、温水ヒータ１７の通電時間を短縮することで実行するようにしており、それによって、泡の異常発生が検知されたときの電力の無駄な消費の抑制が、簡単な方法で確実に実現できる。
【００３４】
以上に対して、図４ないし図１０は第２ないし第８の実施形態を示すもので、それぞれ、第１の実施形態と同一の部分には同一の符号を付して説明を省略し、異なる部分についてのみ述べる。
［第２の実施形態］
図４に示す第２の実施形態においては、温水ヒータ１７の通電時間を、泡センサ３６による泡の異常発生検知回数に応じて変化させるようにしている。
【００３５】
具体的には、「標準」の運転コースで「温水洗浄」を行なうときの、温水ヒータ１７の加熱目標温度が６０〔℃〕である場合の例で、泡の異常発生が検知されなかったときの温水ヒータ１７の通電時間を６０〔分〕としていて、以降、泡の異常発生検知回数が１回、２回、…と増すごとに、温水ヒータ１７の通電時間を５５〔分〕、５０〔分〕、…と漸次減じ、泡の異常発生検知回数が６回に到達したときには、温水ヒータ１７の通電をそれ以上行わないようにしている。
【００３６】
このようにすることにより、温水ヒータ１７の通電量を、泡の異常発生検知回数に応じて減じることができ、その分、電力の無駄な消費をより精細で且つより確実に抑えることができる。
【００３７】
［第３の実施形態］
図５に示す第３の実施形態においては、泡センサ３６による泡の異常発生検知が所定回数あったときの、温水ヒータ１７の通電量を減じる制御を、温水ヒータ１７の加熱目標温度を下げることで実行するようにしている。
【００３８】
具体的には、「温水洗浄」の開始（スタート）に基づき、温水ヒータ１７の加熱目標温度をセットし（ステップＳ１０１）、次いで泡センサ３６による泡の異常発生検知が所定回数以上あったか否かの判断をして（ステップＳ１０２）、なかった（ＮＯ）と判断されれば、温水ヒータ１７の加熱目標温度の変更は行わずに「温水洗浄」を続けるが、あった（ＹＥＳ）と判断されれば、温水ヒータ１７の加熱目標温度を所定温度（この場合、１０〔℃〕）減じて「温水洗浄」を続ける。
このようにしても、泡の異常発生が検知されたときの電力の無駄な消費の抑制が、簡単な方法で確実に実現できる。
【００３９】
［第４の実施形態］
図６に示す第４の実施形態においては、上記温水ヒータ１７の加熱目標温度を、泡センサ３６による泡の異常発生検知回数に応じて変化させるようにしている。
【００４０】
具体的には、「標準」の運転コースで「温水洗浄」を行なうときの、温水ヒータ１７の加熱目標温度が６０〔℃〕である場合の例で、泡の異常発生が検知されなかったときの温水ヒータ１７の加熱目標温度を６０〔℃〕としていて、以降、泡の異常発生検知回数が１回、２回、…と増すごとに、温水ヒータ１７の加熱目標温度を５５〔℃〕、５０〔℃〕、…と漸次減じ、泡の異常発生検知回数が６回に到達したときには、温水ヒータ１７の通電をそれ以上行わないようにしている。
このようにしても、温水ヒータ１７の通電量を、泡の異常発生検知回数に応じて減じることができ、その分、電力の無駄な消費をより精細で且つより確実に抑えることができる。
【００４１】
［第５の実施形態］
図７に示す第５の実施形態においては、温水ヒータ１７の通電量を減じる制御を、運転のコース別に、泡センサ３６による泡の異常発生検知回数に応じて異ならせるようにしている。
【００４２】
具体的には、この場合、温水ヒータの通電量を減じる制御を、温水ヒータ１７の通電時間を減じることで実行するものにおいて、温水ヒータ１７の加熱目標温度が６０〔℃〕である場合の、「標準」の運転コース（ａ）と「除菌」の運転コース（ｂ）とで、泡センサ３６による泡の異常発生検知回数に応じて変化させる温水ヒータ１７の通電時間を異ならせるようにしている。
【００４３】
更に詳細には、この場合、「標準」の運転コース（ａ）では、先の図４に示したように、泡の異常発生が検知されなかったときの温水ヒータ１７の通電時間を６０〔分〕としていて、以降、泡の異常発生検知回数が１回、２回、…と増すごとに、温水ヒータ１７の通電時間を５５〔分〕、５０〔分〕、…と漸次減じ、泡の異常発生検知回数が６回に到達したときには、温水ヒータ１７の通電をそれ以上行わないようにしている。
【００４４】
それに対して、「除菌」の運転コース（ｂ）では、温水による除菌をより確実に行うために、泡の異常発生が検知されなかったときから２回検知されたときまでの温水ヒータ１７の通電時間を７０〔分〕としていて、以降、泡の異常発生検知回数が３回、４回、…と増すごとに、温水ヒータ１７の通電時間を６０〔分〕、５０〔分〕、…と漸次減じ、泡の異常発生検知回数が８回に到達したときには、温水ヒータ１７の通電をそれ以上行わないようにしている。
【００４５】
このようにすることにより、温水ヒータ１７の通電量を、運転のコース別に泡の異常発生検知回数に応じて減じることができ、その分、各運転のコースを極力有効に実行できつつ、電力の無駄な消費を各運転のコースでより確実に抑えることができる。
【００４６】
［第６の実施形態］
図８に示す第６の実施形態においても、温水ヒータ１７の通電量を減じる制御を、運転のコース別に、泡センサ３６による泡の異常発生検知回数に応じて異ならせるようにしている。
【００４７】
具体的には、この場合、温水ヒータの通電量を減じる制御を、温水ヒータ１７の加熱目標温度を減じることで実行するものにおいて、温水ヒータ１７の加熱目標温度が６０〔℃〕である場合の、「標準」の運転コース（ａ）と「除菌」の運転コース（ｂ）とで、泡センサ３６による泡の異常発生検知回数に応じて変化させる温水ヒータ１７の加熱目標温度を異ならせるようにしている。
【００４８】
更に詳細には、この場合、「標準」の運転コース（ａ）では、先の図６に示したように、泡の異常発生が検知されなかったときの温水ヒータ１７の加熱目標温度を６０〔℃〕としていて、以降、泡の異常発生検知回数が１回、２回、…と増すごとに、温水ヒータ１７の通電時間を５５〔℃〕、５０〔℃〕、…と漸次減じ、泡の異常発生検知回数が６回に到達したときには、温水ヒータ１７の通電をそれ以上行わないようにしている。
【００４９】
それに対して、「除菌」の運転コース（ｂ）では、温水による除菌をより確実に行うために、泡の異常発生が検知されなかったときから２回検知されたときまでの温水ヒータ１７の加熱目標温度を６０〔分〕としていて、以降、泡の異常発生検知回数が３回、４回、…と増すごとに、温水ヒータ１７の通電時間を５５〔℃〕、５０〔℃〕、…と漸次減じ、泡の異常発生検知回数が８回に到達したときには、温水ヒータ１７の通電をそれ以上行わないようにしている。
【００５０】
このようにしても、温水ヒータ１７の通電量を、運転のコース別に泡の異常発生検知回数に応じて減じることができ、その分、各運転のコースを極力有効に実行できつつ、電力の無駄な消費を各運転のコースでより確実に抑えることができる。
【００５１】
［第７の実施形態］
図９に示す第７の実施形態においては、温水ヒータ１７の通電量を減じる制御を、温水ヒータ１７の加熱目標温度別に、泡センサ３６による泡の異常発生検知回数に応じて異ならせるようにしている。
【００５２】
具体的には、この場合、温水ヒータの通電量を減じる制御を、温水ヒータ１７の通電時間を減じることで実行するものにおいて、「除菌コース」の温水ヒータ１７の加熱目標温度が６０〔℃〕である場合（ａ）と、同じく「除菌コース」の温水ヒータ１７の加熱目標温度が９０〔℃〕である場合（ｂ）とで、泡センサ３６による泡の異常発生検知回数に応じて変化させる温水ヒータ１７の通電時間を異ならせるようにしている。
【００５３】
更に詳細には、この場合、「除菌コース」の温水ヒータ１７の加熱目標温度が６０〔℃〕である場合（ａ）には、先の図７の（ｂ）に示したように、泡の異常発生が検知されなかったときから２回検知されたときまでの温水ヒータ１７の通電時間を７０〔分〕としていて、以降、泡の異常発生検知回数が３回、４回、…と増すごとに、温水ヒータ１７の通電時間を６０〔分〕、５０〔分〕、…と漸次減じ、泡の異常発生検知回数が８回に到達したときには、温水ヒータ１７の通電をそれ以上行わないようにしている。
【００５４】
それに対して、「除菌コース」の温水ヒータ１７の加熱目標温度が９０〔℃〕である場合（ｂ）には、温水による除菌をより確実に行うために、泡の異常発生が検知されなかったときの温水ヒータ１７の通電時間を１２０〔分〕としていて、以降、泡の異常発生検知回数が１回、２回、…と増すごとに、温水ヒータ１７の通電時間を１１０〔分〕、１００〔分〕、…と漸次減じ、泡の異常発生検知回数が８回に到達したときには、温水ヒータ１７の通電をそれ以上行わないようにしている。
【００５５】
このようにすることにより、温水ヒータ１７の通電量を、温水ヒータの加熱目標温度別に泡の異常発生検知回数に応じて減じることができ、その分、加熱目標温度別の各運転を極力有効に実行できつつ、電力の無駄な消費を各運転のコースでより確実に抑えることができる。
【００５６】
［第８の実施形態］
図１０に示す第８の実施形態においても、温水ヒータ１７の通電量を減じる制御を、温水ヒータ１７の加熱目標温度別に、泡センサ３６による泡の異常発生検知回数に応じて異ならせるようにしている。
【００５７】
具体的には、この場合、温水ヒータの通電量を減じる制御を、温水ヒータ１７の加熱目標温度を減じることで実行するものにおいて、「除菌コース」の温水ヒータ１７の加熱目標温度が６０〔℃〕である場合（ａ）と、同じく「除菌コース」の温水ヒータ１７の加熱目標温度が９０〔℃〕である場合（ｂ）とで、泡センサ３６による泡の異常発生検知回数に応じて変化させる温水ヒータ１７の加熱目標温度を異ならせるようにしている。
【００５８】
更に詳細には、この場合、「除菌コース」の温水ヒータ１７の加熱目標温度が６０〔℃〕である場合（ａ）には、先の図８の（ｂ）に示したように、泡の異常発生が検知されなかったときから２回検知されたときまでの温水ヒータ１７の加熱目標温度を６０〔℃〕としていて、以降、泡の異常発生検知回数が３回、４回、…と増すごとに、温水ヒータ１７の加熱目標温度を５５〔℃〕、５０〔℃〕、…と漸次減じ、泡の異常発生検知回数が８回に到達したときには、温水ヒータ１７の通電をそれ以上行わないようにしている。
【００５９】
それに対して、「除菌コース」の温水ヒータ１７の加熱目標温度が９０〔℃〕である場合（ｂ）には、温水による除菌をより確実に行うために、泡の異常発生が検知されなかったときから２回検知されたときまでの温水ヒータ１７の加熱目標温度を９０〔℃〕としていて、以降、泡の異常発生検知回数が３回、４回、…と増すごとに、温水ヒータ１７の加熱目標温度を８０〔℃〕、７０〔℃〕、…と漸次減じ、泡の異常発生検知回数が８回に到達したときには、温水ヒータ１７の通電をそれ以上行わないようにしている。
【００６０】
このようにしても、温水ヒータ１７の通電量を、温水ヒータの加熱目標温度別に泡の異常発生検知回数に応じて減じることができ、その分、加熱目標温度別の各運転を極力有効に実行できつつ、電力の無駄な消費を各運転のコースでより確実に抑えることができる。
【００６１】
なお、洗濯機の全体としては、ドラム式には限られず、水槽と回転槽を縦軸状に有する縦軸形洗濯機にも同様に適用して実施できるし、乾燥機能を有していなくでも良い。なお、縦軸形洗濯機においては、回転槽の内部に撹拌体が存し、この撹拌体をモータにより回転させて洗濯物の洗浄を行なうようになっていることから、それら撹拌体及びモータが洗浄手段として機能する。
【００６２】
又、第２、第４ないし第８実施例体においては、泡の異常発生検知回数が、温水ヒータ１７の通電をそれ以上行わない回数に到達したときには、併せて表示器４３やブザー４４で異常の報知を行なうようにしても良い。
更に、泡の異常発生検知時におけるこの泡処理行程（泡減少処理行程）は、排水及び給水の動作に代えて、単に時間を置くだけであっても良いものであり、この場合、泡の異常発生検知が所定回数あったときにはそれ以上の時間の無駄を省き得ることにより、運転時間の無駄な長延化を避け得ることになる。
【００６３】
そのほか、本発明の幾つかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００６４】
図面中、７は水槽、９はモータ（洗浄手段）、１１はドラム（洗浄手段）、１７は温水ヒータ、１８は水温センサ、３６は泡センサ、３９は制御装置を示す。
【図１】
2012019863.tif 000003
【図２】
2012019863.tif 000004
【図３】
2012019863.tif 000005
【図４】
2012019863.tif 000006
【図５】
2012019863.tif 000007
【図６】
2012019863.tif 000008
【図７】
2012019863.tif 000009
【図８】
2012019863.tif 000010
【図９】
2012019863.tif 000011
【図１０】
2012019863.tif 000012